(57)【要約】【課題】排水性及び乾燥性を十分に保ちつつ、排水溝の底面部における清掃性を向上させることができる浴室床を提供すること。【解決手段】浴室床１０は、排水口１４と、上面に形成された複数の排水溝１５と、これら排水溝１５に囲まれる位置に設けられた複数の凸部１６とを備えた洗い場領域１２を含んで構成されている。洗い場領域１２は、排水溝１４に向かって傾斜する水勾配を備えている。排水溝１５は、滞水を生じない範囲の高低差ｈを有する波状に形成された底面部２１を含んで構成され、排水溝１５内の湯水の流速が速くなり過ぎることを防止するようになっている。【選択図】      図３
2005016158.tif 000002
【特許請求の範囲】
【請求項１】
上面に複数の排水溝が形成されるとともに、所定の排水口に向かって傾斜する水勾配を備えた浴室床において、
前記排水溝は、滞水を生じない範囲の高低差を有する波状に形成された底面部を備えていることを特徴とする浴室床。
【請求項２】
前記底面部は、前記水勾配より大きい勾配を有する急勾配部と、前記排水口に向かって下降し、且つ、前記水勾配より小さい勾配を有する緩勾配部とを含み、これら急勾配部及び緩勾配部が交互に繰り返し連なることにより形成されることを特徴とする請求項１記載の浴室床。
【請求項３】
上面に複数の排水溝が形成されるとともに、所定の排水口に向かって傾斜する水勾配を備えた浴室床において、
前記排水溝は、所定方向に沿って延びる複数の第１の溝部と、これら第１の溝部と交差する方向に延びる複数の第２の溝部とを含み、当該第２の溝は、各第１の溝を横切る位置に設けられ、
前記排水溝は、滞水を生じない範囲の高低差を有する波状に形成された底面部を備えていることを特徴とする浴室床。
【請求項４】
前記底面部は、前記水勾配より大きい勾配を有する急勾配部と、前記排水口に向かって下降し、且つ、前記水勾配より小さい勾配を有する緩勾配部とを含み、これら急勾配部及び緩勾配部が交互に繰り返し連なることにより形成されることを特徴とする請求項３記載の浴室床。
【請求項５】
前記急勾配部及び緩勾配部の間には、湾曲面部が連なって形成されていることを特徴とする請求項２又は４記載の浴室床。
【請求項６】
前記各急勾配部及び緩勾配部は、略同一勾配長さにそれぞれ設定されていることを特徴とする請求項２，４又は５記載の浴室床。
【請求項７】
前記排水溝は、その幅が０．５〜３ｍｍに設定され、深さが０．３〜１．５ｍｍに設定されている一方、前記排水溝で囲まれる凸部の平面積は、６〜２２０ｍｍ２に設定されていることを特徴とする請求項１ないし６の何れかに記載の浴室床。
【発明の詳細な説明】
【０００１】
【発明の属する技術分野】
本発明は、浴室床に係り、更に詳しくは、床面に残存する湯水を少なくして排水性及び乾燥性を向上させることができ、清掃性も良好に保つことができる浴室床に関する。
【０００２】
【従来の技術】
従来より、システムバス等に用いられる浴室床としては、床面上面に複数の排水溝及びこれら排水溝で囲まれる凸部を備えたタイプのものが存在する。このようなタイプの浴室床は、排水性を向上させるため、排水溝内に湯水を一時捕水し、この捕水した湯水と凸部上に残る湯水とを接触させることにより凸部上に残る湯水を排水溝内に効率良く誘引させることが好ましい。ここで、排水溝内に湯水を一時捕水する構成としては、例えば、特許文献１に開示されるタイプのものが知られている。
【０００３】
特許文献１は、その図４において、排水溝の底部に形成された凹凸形状部を有する浴室床（浴室床１）を開示している。前記凹凸形状部は、溝を横切る方向に延びる複数本の突条により形成され、当該突条により排水溝内を流れようとする湯水に抵抗を付与するようになっている。一方、同文献の図９は、排水溝で囲まれる縦長及び横長の長方形状をなす複数の凸部を備えた浴室床（浴室床２）を開示しており、湯水が様々な排水溝の経路をたどってジグザグに流れるようになっている。
【０００４】
【特許文献１】
特開２００２−５４２９５号公報
【０００５】
【発明が解決しようとする課題】
しかしながら、前記浴室床１にあっては、特許文献１の図６（ｃ）に示されるように、凹凸形状部の各突条間に湯水が残存することとなる。従って、残存した湯水が乾燥すると、その中に含まれる汚れ成分が排水溝の底面部や前記突条に堆積するという不都合がある。しかも、この状態で、ブラシやスポンジ等により清掃を行った場合、突条の基部側にブラシ等が届き難くなり、堆積した汚れ成分を完全に落とすことが困難になる。
また、前記浴室床２では、溝同士が平面視略Ｔ字状に突き当たる構成となっている。このため、ブラシ等を用いて清掃を行ったときに、前記溝同士が突き当たる位置で汚れ成分が残り易くなり、これによっても、十分な清掃性を確保することができないという不都合を招来する。
【０００６】
【発明の目的】
本発明は、このような不都合に着目して案出されたものであり、その目的は、床面上面の排水性及び乾燥性を十分に保ちつつ、排水溝の底面部における清掃性を向上させることができる浴室床を提供することにある。
【０００７】
【課題を解決するための手段】
前記目的を達成するため、本発明は、上面に複数の排水溝が形成されるとともに、所定の排水口に向かって傾斜する水勾配を備えた浴室床において、
前記排水溝は、滞水を生じない範囲の高低差を有する波状に形成された底面部を備える、という構成を採っている。このような構成によれば、排水溝に沿ってブラシ等を擦ることにより、底面部上の汚れ成分を簡単に除去することができる。しかも、排水溝内を流れる湯水に波状の底面部によって流下抵抗が付与され、排水溝内の湯水の流速が速くなり過ぎることを防止して排水溝内に湯水を一時捕水することが可能となる。これにより、床面上の湯水を排水構内に一時捕水した湯水に接触させることにより排水溝内に効率良く誘引させることができ、床面の排水性及び乾燥性を良好に保つことができる。
【０００８】
また、本発明において、前記底面部は、前記水勾配より大きい勾配を有する急勾配部と、前記排水口に向かって下降し、且つ、前記水勾配より小さい勾配を有する緩勾配部とを含み、これら急勾配部及び緩勾配部が交互に繰り返し連なることにより形成される、すなわち、波状に形成された底面部の全ての領域で当該底面部の水勾配が正数となる、という構成も併せて採用することができる。このような構成によれば、排水溝内の湯水が排水口に確実に流し込まれるようになり、従来のように排水溝内に湯水が残存して汚れ成分が堆積することを防止することができる。
【０００９】
更に、本発明は、上面に複数の排水溝が形成されるとともに、所定の排水口に向かって傾斜する水勾配を備えた浴室床において、
前記排水溝は、所定方向に沿って延びる複数の第１の溝部と、これら第１の溝部と交差する方向に延びる複数の第２の溝部とを含み、当該第２の溝は、各第１の溝を横切る位置に設けられ、
前記排水溝は、滞水を生じない範囲の高低差を有する波状に形成された底面部を備える、という構成も採用される。この構成では、従来のような溝同士が平面視略Ｔ字状に突き当たる部分をなくすことができ、ブラシ等を用いて清掃するときに、第１及び第２の溝部に沿って擦ることにより、排水溝内に汚れが残ることを回避することが可能となる。
【００１０】
また、本発明において、前記底面部は、前記水勾配より大きい勾配を有する急勾配部と、前記排水口に向かって下降し、且つ、前記水勾配より小さい勾配を有する緩勾配部とを含み、これら急勾配部及び緩勾配部が交互に繰り返し連なることにより形成される、という構成を採り、この構成によっても前述の効果をより良く達成することができる。
【００１１】
【発明の実施の形態】
本発明において、前記急勾配部及び緩勾配部の間には、湾曲面部が連なって形成されている、という構成も採用することができる。このような構成を採れば、急勾配部及び緩勾配部の間で湯水がスムースに流れるようになり、排水溝内の湯水が途切れることを確実に回避することができる他、排水溝内の拭き取り等を楽に行うことが可能となる。
【００１２】
また、前記各急勾配部及び緩勾配部は、略同一勾配長さにそれぞれ設定されている、という構成を採ることができる。このような構成により、各急勾配部及び緩勾配部のピッチ間隔が一定に保たれるので、底面部を単純な波形状とすることができ、浴室床を成形品とした場合、型の製造容易性を高めることができる。
【００１３】
更に、前記排水溝は、その幅が０．５〜３ｍｍに設定され、深さが０．３〜１．５ｍｍに設定されている一方、前記排水溝で囲まれる凸部の平面積は、６〜２２０ｍｍ２に設定されている、という構成を採ることが好ましい。このような構成によれば、排水溝内を流れる湯水の流速が速くなり過ぎることを防止して排水溝内に湯水を一時捕水することができ、これによって排水溝内に湯水を誘引する力を発揮させて湯水が水滴状に残存することを防止することが可能となる。
ここで、排水溝の幅が０．５ｍｍ未満であると、排水溝内に汚れが堆積して排水溝内を湯水が流れ難くなった場合に、その汚れの除去が困難となる一方、溝幅が３ｍｍを越えると、排水溝内に湯水を一時捕水し難くなって凸部上に残存する湯水を排水溝内に誘引する効果が失われてしまう。
また、排水溝の深さが０．３ｍｍ未満であっても、排水溝内に湯水を一時捕水し難くなって前記誘引効果が失われてしまう一方、排水溝の深さが１．５ｍｍを越えると、誘引効果は高いものの底面部に汚れが堆積した際の清掃を行うことが著しく困難となる。
更に、凸部の平面積が６ｍｍ２未満であると、複数の凸部上の水滴がまとまって大きい水滴となって残存し易くなり、また、凸部の平面積が２２０ｍｍ２を越えても、凸部上に乾燥し難い大きい水滴が残存し易い。
ここで、好ましくは、排水溝の幅を１．０〜２．０ｍｍ、排水溝の深さを０．５〜１．０ｍｍに設定するとよい。このような範囲によれば、排水溝内の洗浄容易性を維持しつつ、前記誘引効果を更に向上できるという利点を得る。
【００１４】
なお、本明細書において、特に明示しない限り、波状に形成された底面部の「高低差」とは、図３及び図５に示されるように、前記波の隣接する頂部間を結ぶ仮想線Ｓ１と、前記波の隣接する底部間を結ぶ仮想線Ｓ２との離間幅（図中符号ｈ）について用いる。
【００１５】
【実施例】
以下、本発明の実施例について図面を参照しながら説明する。
【００１６】
図１には、実施例に係る浴室床が適用されたシステムバスの床面部分の概略平面図が示されている。この図において、浴室床１０は、特に限定されるものではないが、ＦＲＰ（繊維強化プラスチック）等の樹脂材料を用いた成形品により構成される。浴室床１０は、浴槽１１Ａが置かれる図１中左側の浴槽設置領域１１と、同図中右側に位置する洗い場領域１２とにより構成されている。
【００１７】
前記洗い場領域１２は、図１中下端側略中央部に設けられた排水口１４と、床面上面に形成された複数の排水溝１５と、これら排水溝１５に囲まれる位置に設けられて平面視略正方形状をなす複数の凸部１６とを備えている。洗い場領域１２は、図３に示されるように、仮想線Ｓ１，Ｓ２と略平行となる水勾配を備えており、当該水勾配は、約１／１０〜２／１０の範囲内で排水口１４へ向かって傾斜するように凹んだ面形状に形成されている。ここで、前記各凸部１６の平面積は、約６〜２２０ｍｍ２に設定されている。
【００１８】
前記排水溝１５は、平面視略格子状に形成されている。具体的には、図１中縦方向に延びて相互に略平行となる複数の第１の溝部１８と、これら第１の溝部１８と略直交する方向、すなわち、図１中横方向に延びて相互に略平行となる複数の第２の溝部１９とからなり、各第２の溝部１９が各第１の溝部１８を横切るように形成されている。なお、第１及び第２の溝部１８，１９は、本実施例では、それぞれのピッチ間隔が略同一に設定されている。
【００１９】
また、排水溝１５は、その延出方向と直交する方向の断面形状が略凹状とされるとともに、溝幅が１〜５ｍｍ、溝深さが０．３〜１．０ｍｍに設定され、排水溝１５内に湯水を一時捕水して、この捕水した湯水に凸部１６上に残る湯水を接触させて排水溝１５内に誘引する作用を生じせしめるようになっている。また、排水溝１５は、図２及び３に示されるように、高低差ｈを有する波状に形成された底面部２１を備えている。この底面部２１は、洗い場領域１２の水勾配より大きい勾配を有する複数の急勾配部２２と、前記水勾配より小さい勾配を有する複数の緩勾配部２３とを含み、これら急勾配部２２及び緩勾配部２３を交互に繰り返し連ねて底面部２１が形成される。各急勾配部２２及び緩勾配部２３の間には、緩やかなカーブを描く湾曲面部２４が連なって設けられ、各湾曲面部２４により波状に形成された底面部２１の頂部２１Ａと底部２１Ｂが形成され、底面部２１を延出方向に沿って断面視したときに、周期に対して振幅が非常に小さく傾斜したサインカーブ状となる。
【００２０】
前記緩勾配部２３は、排水口１４に向かって下降する勾配、すなわち、水平面Ｈより排水口１４側に傾斜する勾配に設定されており、洗い場領域１２に湯水をかけて所定時間放置した後、前記底部２１Ｂ側に滞水が生じないようになっている。また、各急勾配部２２の勾配長さＬ１は、緩勾配部２３の勾配長さＬ２と略同一に設けられ、各勾配長さＬ１，Ｌ２は凸部１６の一辺の長さＬ３と略同じ長さに設定されている。
【００２１】
以上の構成において、洗い場領域１２に大量の湯水を流すと、当該湯水の大部分は、排水溝１５及び凸部１６上を通って排水口１４に流れ込む。そして、湯水の一部は、凸部１６上に残存して安定的に存在しようとし、その表面積を減らす方向に移動する。このとき、湯水が凸部１６の形成縁によって分断されつつ、誘引効果によって凸部１６に隣接する排水溝１５内に誘引される。
排水溝１５内の湯水は、洗い場領域１２の水勾配により排水口１４側に流れるが、底面部２１によって流下抵抗を付与され、すなわち、前記水勾配に対して揺動するように流れて比較的ゆっくりとなる排水速度が保たれる。従って、排水溝１５内を流れる湯水により、当該排水溝１５に隣接する凸部１６上の湯水を排水溝１５内に確実に誘引することができ、湯水が凸部１６に水滴状に残存することを回避可能となる。しかも、緩勾配部２３が排水口１４側に下降する勾配とされるため、排水溝１５内の湯水が中途で途切れることなく排水口１４まで連なって流れ、底面部２１の底部２１Ｂにおける水滴の残存も防止される。
【００２２】
なお、ブラシやスポンジ等の清掃用具を用いて洗い場領域１２を清掃する場合、第１及び第２の溝部１８，１９の延出方向、つまり、図１中縦及び横方向の二方向に沿って清掃用具を移動させればよい。この際、清掃用具の底面部２１に接触する部分が底面部２１上を滑らかに移動するようになり、各溝部１８，１９の中間部分で汚れ成分が溜まることなく、これを簡単に除去することができる。
【００２３】
従って、このような実施例によれば、排水溝１５の底面部２１を波状に形成したので、排水溝１５の清掃容易性を十分に確保できる他、排水溝１５内だけでなく凸部１６上の湯水の残存も抑制でき、洗い場領域１２全体の排水性及び乾燥性を向上させることができる、という効果を得る。
【００２４】
本発明を実施するための最良の構成、方法などは、以上の記載で開示されているが、本発明は、これに限定されるものではない。
すなわち、本発明は、特定の実施例に関して特に図示し、且つ、説明されているが、本発明の技術的思想及び目的の範囲から逸脱することなく、以上に述べた実施例に対し、形状、数量、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２５】
例えば、前記第１及び第２の溝部１８，１９のピッチ間隔を相互に異なるように設定し、凸部１６の平面形状を縦長若しくは横長となる長方形状としたり、第１及び第２の溝部１８，１９を縦及び横方向に対して傾斜する方向に向け、凸部１６の平面形状を平行四辺形や菱形状としたりしてもよい。
【００２６】
また、前記各急勾配部２２及び緩勾配部２３の長さＬ１，Ｌ２は、種々の設計変更が可能であり、例えば、図４及び図５に示されるように、凸部１６の一辺の長さＬ３の約１／４程度に設定してもよい。このように、前記長さＬ１，Ｌ２を比較的短くすることで、排水溝１５内の湯水を洗い場領域１２の水勾配に対してより多く揺動させ、排水速度を一層遅くすることができる。更に、前記長さＬ１，Ｌ２は、洗い場領域１２の水勾配に応じて部分的に長さを変えてもよいが、洗い場領域１２全体において同一長さとすれば、底面部２１の波形状を単純化でき、成型用の型を容易に製造できるという利点を得る。
【００２７】
【発明の効果】
以上説明したように、本発明によれば、排水溝の底面部が滞水を生じない範囲の高低差を有する波状に形成されているから、排水溝に沿ってブラシ等を擦ることにより、排水溝内に汚れ成分が溜まる部分をなくして当該汚れ成分を容易に除去することができる。しかも、排水溝内を流れる湯水に流下抵抗が付与されるので、当該湯水の流速を遅くして床面上の湯水が排水溝内に効率良く誘引されるようになり、床面の排水性を高めることも可能となる。
【００２８】
また、浴室床の水勾配より大きい勾配となる急勾配部と、排水口に向かって下降し、前記水勾配より小さい勾配となる緩勾配部とを交互に繰り返し連ねることにより底面部が形成されているから、排水溝内の湯水が残存することなく排水口に確実に流し込まれ、底面部上に汚れ成分が堆積することを回避することができる。
【００２９】
更に、急勾配部と緩勾配部との間に湾曲面部を設けた場合には、排水溝内の湯水が途切れることを確実に回避することができる他、拭き取り等のメンテナンスも容易となる。
【００３０】
また、各急勾配部及び緩勾配部を略同一勾配長さにそれぞれ設定した場合には、底面部の簡単な波形状とすることができ、浴室床を成形品とした場合であっても、その型の製造を容易に行うことができる。
【００３１】
更に、排水溝は、複数の第１の溝部と交差して、これらを横切る位置に設けられた第２の溝部を含んで構成されているから、溝同士が平面視略Ｔ字状に突き当たる部分をなくすことができ、第１及び第２の溝部に沿ってブラシ等を擦ることにより、排水溝内に汚れが残ることを回避して当該排水溝内を容易に清掃することが可能となる。
【図面の簡単な説明】
【図１】本発明に係る浴室床の概略平面図。
【図２】図１のＡ部拡大斜視図。
【図３】図２のＢ−Ｂ線に沿う拡大断面図。
【図４】変形例に係る図２と同様の斜視図。
【図５】図４のＣ−Ｃ線に沿う拡大断面図。
【符号の説明】
１０・・・浴室床、１４・・・排水口、１５・・・排水溝、１６・・・凸部、１８・・・第１の溝部、１９・・・第２の溝部、２１・・・底面部、２２・・・急勾配部、２３・・・緩勾配部、２４・・・湾曲面部、ｈ・・・高低差
【図１】
2005016158.tif 000003
【図２】
2005016158.tif 000004
【図３】
2005016158.tif 000005
【図４】
2005016158.tif 000006
【図５】
2005016158.tif 000007